(57)【要約】【課題】  工事作業の写真を自動的に整理するプログラムを提供する。【解決手段】  主記憶装置内に保持されている黒板情報を参照して、黒板情報が記載された黒板画像をディスプレイ上に表示する。シャッターボタンが押されると、黒板画像が風景の上に重ねられた状態の画像ファイルを作成するとともに、黒板情報を含む画像情報を記録する。また、当該画像ファイルを、黒板情報を参照し、画像ファイルの作成で使用された黒板画像の黒板情報に対応するフォルダ内に保存して整理する。【選択図】  図２
2014157596.tif 000002
【特許請求の範囲】
【請求項１】
デジタルカメラとディスプレイを備えたコンピュータを次の手段として機能させるためのプログラムであって、
デジタルカメラから入力される風景をディスプレイに表示する風景表示手段と、
黒板情報を参照し、前記黒板情報が記載された黒板画像を、前記風景の上に重ねてディスプレイに表示する黒板画像表示手段と、
前記黒板画像が風景の上に重ねられた状態の画像を画像ファイルとして記録する画像記録手段と、
前記黒板情報を参照し、黒板情報に対応するフォルダを作成するフォルダ作成手段とを備え、
前記画像記録手段は、前記黒板情報を参照して、前記画像ファイルを、当該画像ファイルにおいて記録された黒板画像の黒板情報に対応するフォルダ内に保存すること
を特徴とするプログラム。
【請求項２】
前記画像ファイルに記録された黒板画像の黒板情報と撮影日付を含む画像情報を記録する画像情報記録手段と、
前記画像ファイルと黒板情報が記載された写真台帳を作成する写真台帳作成手段とを備え、
前記写真台帳作成手段は、前記画像情報を参照して、同じフォルダ内に保存された複数の画像ファイルを、撮影日付の順番に整列させて表示するとともに、前記各画像ファイルの黒板情報を、各画像に付記した写真台帳を作成すること
を特徴とする請求項１に記載のプログラム。
【請求項３】
前記画像ファイルに記録された黒板画像の黒板情報を含む画像情報を記録する画像情報記録手段と、
前記画像ファイルと黒板情報が記載された写真台帳を作成する写真台帳作成手段とを備え、
前記黒板情報には、測点の情報が含まれており、
前記写真台帳作成手段は、前記画像情報を参照して、同じフォルダ内に保存された複数の画像ファイルを、測点の順番に整列させて表示するとともに、前記各画像ファイルの黒板情報を、各画像に付記した写真台帳を作成すること
を特徴とする請求項１に記載のプログラム。
【請求項４】
前記画像ファイルに記録された黒板画像の黒板情報と撮影日付を含む画像情報を記録する画像情報記録手段と、
複数の工種名、各工種名の実施工程が記載された工程表を作成する工程表作成手段を備え、
前記黒板情報には、工事名及び工種名の情報が含まれており、
前記工程表作成手段は、前記画像情報記録手段から同一の工事名の画像情報を抽出し、当該画像情報を参照して、工種名ごとに、撮影日時に対応する実施工程が表示された工程表を作成すること
を特徴とする請求項１から３までのいずれかに記載のプログラム。
【請求項５】
コンピュータを次の手段として機能させるためのプログラムであって、
他のコンピュータから、前記画像ファイルと、前記画像ファイルに記録された黒板画像の黒板情報と撮影日付を含む画像情報を受け取る手段と、
前記画像ファイルと黒板情報が記載された写真台帳を作成する写真台帳作成手段を備え、
前記写真台帳作成手段は、前記画像情報を参照して、同じフォルダ内に保存された複数の画像ファイルを、撮影日付の順番に整列させて表示するとともに、前記各画像ファイルの黒板情報を、各画像に付記した写真台帳を作成すること
を特徴とするプログラム。
【請求項６】
コンピュータを次の手段として機能させるためのプログラムであって、
他のコンピュータから、前記画像ファイルと、前記画像ファイルに記録された黒板画像の黒板情報を含む画像情報を受け取る手段と、
前記画像ファイルと黒板情報が記載された写真台帳を作成する写真台帳作成手段を備え、
前記黒板情報には、測点の情報が含まれており、
前記写真台帳作成手段は、前記画像情報を参照して、同じフォルダ内に保存された複数の画像ファイルを、測点の順番に整列させて表示するとともに、前記各画像ファイルの黒板情報を、各画像に付記した写真台帳を作成すること
を特徴とするプログラム。
【請求項７】
コンピュータを次の手段として機能させるためのプログラムであって、
他のコンピュータから、前記画像ファイルと、前記画像ファイルに記録された黒板画像の黒板情報と撮影日付を含む画像情報を受け取る手段と、
複数の工種名、各工種名の実施工程が記載された工程表を作成する工程表作成手段を備え、
前記黒板情報には、工事名及び工種名の情報が含まれており、
前記工程表作成手段は、前記画像情報から同一の工事名の画像情報を抽出して参照し、工種名ごとに、撮影日時に対応する実施工程が表示された工程表を作成すること
を特徴とするプログラム。
【発明の詳細な説明】
【技術分野】
【０００１】
本発明は、工事現場の写真を撮影するためのプログラムに関する。
【背景技術】
【０００２】
一般に、建築工事、土木工事等の現場では、工事の各段階の状況を写真に撮影し、当該写真を添付した写真台帳を役所などの施工主に提出して、工事の作業状況を報告することが求められる。そのため、当該写真中に、工事名、工種、測点、日付、工事を行う会社名、作業状況などの情報を付加する必要があり、従来は、これらの情報を黒板に書き込み、これを現場に立てて撮影するという方法をとっていた。しかし、かかる方法は、黒板を持ち運ばなければならず、写真撮影のたびに情報を書き込むのが非常に煩雑であり、また、現場の状況によっては黒板を立てる適当な場所がない場合があるなどの問題があった。
【０００３】
かかる問題に鑑み、特許文献１では、実在の黒板を使用することなく、黒板の画像を合成した工事現場の写真を撮影できるデジタルカメラが提案されている。
【先行技術文献】
【特許文献】
【０００４】
【特許文献１】特開２０００−２１７０３４
【発明の概要】
【発明が解決しようとする課題】
【０００５】
しかしながら、上記特許文献１のデジタルカメラでは、次のような問題があった。すなわち、当該デジタルカメラを使用して撮影しても、その写真データは整理されておらず、大量に撮影された写真の中から必要な写真を選び出すのに非常に手間がかかっていた。
【０００６】
また、写真台帳を作成するためには、別途、撮影された写真の中から使用する写真を選び出したうえで、並べ替えや必要な情報の記入などの編集作業を行わなければならず、大きな労力と時間がかかっていた。
【０００７】
さらに、役所には、写真台帳のほかにも、工事の計画工程と実際の実施工程を記載した工程表を提出する必要があるが、別途、これを作成する作業が必要であり、工事従事者の大きな負担となっていた。
【０００８】
本発明は、上記問題点を解決するものであり、工事現場の写真を順次撮影していくだけで、自動的に写真の画像ファイルを整理し、また、写真台帳及び工程表を作成する負担を軽減するプログラムを提供することを目的とする。
【課題を解決するための手段】
【０００９】
請求項１に記載の発明は、デジタルカメラとディスプレイを備えたコンピュータを次の手段として機能させるためのプログラムであって、デジタルカメラから入力される風景をディスプレイに表示する風景表示手段と、黒板情報を参照し、前記黒板情報が記載された黒板画像を、前記風景の上に重ねてディスプレイに表示する黒板画像表示手段と、前記黒板画像が風景の上に重ねられた状態の画像を画像ファイルとして記録する画像記録手段と、前記黒板情報を参照し、黒板情報に対応するフォルダを作成するフォルダ作成手段とを備え、前記画像記録手段は、前記黒板情報を参照して、前記画像ファイルを、当該画像ファイルにおいて記録された黒板画像の黒板情報に対応するフォルダ内に保存することを特徴とするプログラムである。
【００１０】
ここで、デジタルカメラとは、電子機器の構成部品として組み込まれ、光を電気信号に変えて画像データとして記録できる装置を意味する。また、デジタルカメラとディスプレイを備えたコンピュータとは、典型的には、スマートフォン、タブレットＰＣ、デジタルカメラ専用機などが挙げられるが、これらに限定されるものではない。
【００１１】
そして、黒板情報とは、ディスプレイに表示される黒板画像上に記載される各種の情報を意味し、具体的には、工事名、工種、測点、日付、会社名、作業状況等が含まれるが、これらの情報に限定されない。
【００１２】
また、黒板情報を参照するとは、黒板情報が記録された黒板情報テーブルを直接参照する場合のほか、たとえば、当該テーブルから読み出され主記憶装置内に保持されている黒板情報を参照する場合や、入力装置から入力されて主記憶装置内に保持されている情報を参照する場合も含む。
【００１３】
次に、請求項２に記載の発明は、前記画像ファイルに記録された黒板画像の黒板情報と撮影日付を含む画像情報を記録する画像情報記録手段と、前記画像ファイルと黒板情報が記載された写真台帳を作成する写真台帳作成手段とを備え、前記写真台帳作成手段は、前記画像情報を参照して、同じフォルダ内に保存された複数の画像ファイルを、撮影日付の順番に整列させて表示するとともに、前記各画像ファイルの黒板情報を、各画像に付記した写真台帳を作成することを特徴とする請求項１に記載のプログラムである。
【００１４】
そして、請求項３に記載の発明は、前記画像ファイルに記録された黒板画像の黒板情報を含む画像情報を記録する画像情報記録手段と、前記画像ファイルと黒板情報が記載された写真台帳を作成する写真台帳作成手段とを備え、前記黒板情報には、測点の情報が含まれており、前記写真台帳作成手段は、前記画像情報を参照して、同じフォルダ内に保存された複数の画像ファイルを、測点の順番に整列させて表示するとともに、前記各画像ファイルの黒板情報を、各画像に付記した写真台帳を作成することを特徴とする請求項１に記載のプログラムである。
【００１５】
ここで、画像情報とは、当該画像ファイルに関する情報のことであり，当該画像について使用された黒板の黒板情報も画像情報に含まれる。画像情報記録手段としては、典型的には画像情報を写真テーブルとして記録する手段があるが、これに限定されるものではなく、たとえば、画像情報を当該画像ファイルのＥｘｉｆ情報として記録する手段でもよい。そして、画像情報を参照するとは、写真テーブルやＥｘｉｆ情報などの記録を直接参照する場合に限定されない。たとえば、写真テーブル等から読み出され主記憶装置内に保持されている画像情報を参照する場合や、入力装置からの入力により主記憶装置内に保持されている情報を参照する場合も含む。
【００１６】
また、写真台帳とは、画像に当該画像ファイルの黒板情報のテキストが付記されて記載された台帳を意味し、必ずしも作業者による編集後のものに限られず、編集前のものも含まれる。そして、写真台帳を作成するとは、プログラムにおける特定の画面において写真台帳をディスプレイに表示させることをいい、その方法は限定されない。たとえば、写真台帳を特定のファイルとして作成して当該ファイルを表示させるようにしてもいいし、特定のファイルを作成することなく表示させるようにしてもよい。特定のファイルとして作成する場合は、そのファイル形式は限定されず、たとえば、ＨＴＭＬファイルや、ワープロソフト、表計算ソフト、文書閲覧ソフト用のファイル形式などが可能である。また、特定のファイルを作成することなく表示する方法は、特定の方法に限定されるものではないが、たとえば、あらかじめ写真台帳の雛形となる画面を用意しておき、指定された画像ファイル及び黒板情報を当該画面に反映させることにより表示する方法がある。
【００１７】
次に、請求項４に記載の発明は、前記画像ファイルに記録された黒板画像の黒板情報と撮影日付を含む画像情報を記録する画像情報記録手段と、複数の工種名、各工種名の実施工程が記載された工程表を作成する工程表作成手段を備え、前記黒板情報には、工事名及び工種名の情報が含まれており、前記工程表作成手段は、前記画像情報記録手段から同一の工事名の画像情報を抽出し、当該画像情報を参照して、工種名ごとに、撮影日時に対応する実施工程が表示された工程表を作成することを特徴とする請求項１から３までのいずれかに記載のプログラムである。
【００１８】
ここで、工程表は、必ずしも作業者による編集後のものに限られず、編集前の状態のものも含まれる。また、工程表を作成するとは、プログラムにおける特定の画面において工程表をディスプレイに表示させることをいい、その方法は限定されない。たとえば、工程表を特定のファイルとして作成して表示させるようにしてもいいし、特定のファイルを作成することなく表示させるようにしてもよい。特定のファイルとして作成する場合は、そのファイル形式は限定されず、たとえば、ＨＴＭＬファイルや、ワープロソフト、表計算ソフト、文書閲覧ソフト用のファイル形式などが可能である。また、特定のファイルを作成することなく表示する方法は、特定の方法に限定されるものではないが、たとえば、あらかじめ工程表の雛形となる画面を用意しておき、指定された情報を当該画面に反映させることにより表示する方法がある。
【００１９】
請求項５に記載の発明は、コンピュータを次の手段として機能させるためのプログラムであって、他のコンピュータから、前記画像ファイルと、前記画像ファイルに記録された黒板画像の黒板情報と撮影日付を含む画像情報を受け取る手段と、前記画像ファイルと黒板情報が記載された写真台帳を作成する写真台帳作成手段を備え、前記写真台帳作成手段は、前記画像情報を参照して、同じフォルダ内に保存された複数の画像ファイルを、撮影日付の順番に整列させて表示するとともに、前記各画像ファイルの黒板情報を、各画像に付記した写真台帳を作成することを特徴とするプログラムである。
【００２０】
また、請求項６に記載の発明は、コンピュータを次の手段として機能させるためのプログラムであって、他のコンピュータから、前記画像ファイルと、前記画像ファイルに記録された黒板画像の黒板情報を含む画像情報を受け取る手段と、前記画像ファイルと黒板情報が記載された写真台帳を作成する写真台帳作成手段を備え、前記黒板情報には、測点の情報が含まれており、前記写真台帳作成手段は、前記画像情報を参照して、同じフォルダ内に保存された複数の画像ファイルを、測点の順番に整列させて表示するとともに、前記各画像ファイルの黒板情報を、各画像に付記した写真台帳を作成することを特徴とするプログラムである。
【００２１】
最後に、請求項７に記載の発明は、コンピュータを次の手段として機能させるためのプログラムであって、他のコンピュータから、前記画像ファイルと、前記画像ファイルに記録された黒板画像の黒板情報と撮影日付を含む画像情報を受け取る手段と、複数の工種名、各工種名の実施工程が記載された工程表を作成する工程表作成手段を備え、前記黒板情報には、工事名及び工種名の情報が含まれており、前記工程表作成手段は、前記画像情報から同一の工事名の画像情報を抽出して参照し、工種名ごとに、撮影日時に対応する実施工程が表示された工程表を作成することを特徴とするプログラムである。
【００２２】
ここで、他のコンピュータとは、画像ファイル及び画像情報を作成したコンピュータに限定されず、当該コンピュータより画像ファイル及び画像情報を受け取り記録したコンピュータも含まれる。また、画像ファイルと画像情報を受け取る手段とは、接続された他のコンピュータからこれらのデータを受け取る手段のほか、他のコンピュータにおいて作成された画像ファイル及び画像情報をメモリーカード等の記録媒体を介して受け取る手段も含まれる。なお、当該接続の態様は限定されるものではなく、たとえば、インターネットを介して接続されてもよいし、また、インターネットを介さず接続される場合も含まれる。
【発明の効果】
【００２３】
本発明によれば、工事現場の写真を、その工程に従って撮影していけば、実際の黒板を設置せずに各種情報が記載された黒板画像が表示された写真を撮影できるだけでなく、その画像ファイルが自動的に整理される。さらに、写真台帳の作成や工程表の作成について、工事従事者の作業負担を大きく軽減することができる。
【図面の簡単な説明】
【００２４】
【図１】第１の実施形態にかかるプログラムがインストールされたスマートフォンのハードウェア構成を示す図である。
【図２】第１の実施形態にかかるプログラムによる写真撮影処理のフローチャートを示す図である。
【図３】第１の実施形態にかかるプログラムの撮影画面を示す図である。
【図４】第１の実施形態にかかるプログラムの黒板編集画面を示す図である。
【図５】第１の実施形態にかかるプログラムで撮影された画像ファイルを示す図である。
【図６】第１の実施形態にかかるプログラムの画像ファイルの保存先フォルダを示す図である。
【図７】第１の実施形態にかかるプログラムの画面であって、(ａ)は工事名画面を示す図であり、（ｂ）は工種画面を示す図である。
【図８】第１の実施形態にかかるプログラムの写真台帳編集画面を示す図である。
【図９】第１の実施形態にかかるプログラムによりプリントアウトされた写真台帳を示す図である。
【図１０】第１の実施形態にかかるプログラムの工程表作成画面を示す図である。
【図１１】第１の実施形態にかかるプログラムの新規工程表作成画面を示す図である。
【図１２】第１の実施形態にかかるプログラムの工程表画面を示す図である。
【発明を実施するための形態】
【００２５】
〔第１の実施形態〕
以下、本発明における実施形態について、図面を参照して説明する。なお、本実施形態のプログラムは、インターネット上でスマートフォン用アプリとして提供されるものであり、これがダウンロードされてインストールされたものである。
【００２６】
〔ハードウェア構成〕
まず、本実施形態にかかるプログラムがインストールされたスマートフォンのハードウェア構成を、図１を参照して説明する。
【００２７】
スマートフォンは、ＣＰＵ１１、主記憶装置（メインメモリ）１２、外部記憶装置（フラッシュメモリ）１３、タッチスクリーン１４、物理キー１５、ディスプレイ１６、デジタルカメラ１７を備えている。ＣＰＵ１１は、外部記憶装置１３に記録された各プログラムに従い、バス１８を介して各部を制御する。
【００２８】
外部記憶装置１３には、オペレーティングシステム（ＯＳ）１３ａ、メインプログラム１３ｂ、黒板情報テーブル１３ｃ、写真テーブル１３ｄ、写真台帳テーブル１３ｅ、及び工程表テーブル１３ｆが記録されている。
【００２９】
入力装置であるタッチスクリーン１４は、ディスプレイ１６の表面に備えられており、指でディスプレイ１６をタップ、ドラッグ、ピンチアウト、ピンチイン等の動作をすることにより、選択、決定、拡大、縮小等の各種操作を行うことができるようになっている。また、物理キー１５を押すことにより、ホーム画面への移動、本プログラムの終了等の操作を行うことができるようになっている。
【００３０】
〔写真撮影及び黒板編集〕
次に、本プログラムによる写真撮影について、図２のフローチャートを参照して説明する。
本プログラムを起動させると、スマートフォンのデジタルカメラ１７が起動して、図３のような、デジタルカメラ１７から入力される風景３１がディスプレイ１６に表示されるとともに（Ｓ１）、風景３１の上に重ねて黒板画像３２が表示された撮影画面となる（Ｓ２）。
【００３１】
黒板画像３２には、黒板情報テーブル１３ｃを参照して、工事名、工種、測点、フリーエリア、及び施工の各欄に、それぞれの情報が表示される。そして、黒板画像３２は、ドラッグして移動させることができ、また、黒板画像３２の四隅の点３２ａ，３２ｂ，３２ｃ，３２ｄを指でドラッグして動かすことにより、黒板画像３２の拡大及び縮小をすることができる。なお、ディスプレイ１６上に表示される黒板画像３２は、ＪＰＥＧ等の画像ファイルではなく、黒板情報テーブル１３ｃまたは主記憶装置１２にある黒板情報と他のデータベースから呼び出した黒板の形状や色の情報に基づいて描写したものであるため、拡大・縮小させても、黒板画像３２上の表示が劣化することはない。また、黒板の形状、罫線、色は、複数の種類のものが用意されており、適宜選択できるようになっている。
【００３２】
本プログラムでは、起動時に表示する黒板画像３２を、前回に使用したものをそのまま表示するか否かを設定できるようになっており、図２のフローチャートは、前回と同じ情報を表示するように設定した場合のものである。表示された黒板情報を変更する場合は、撮影画面において、黒板画像３２自体か、ディスプレイ下部に表示された黒板編集ボタン３３をタップして、図４のような黒板編集画面を呼び出す。そして、黒板情報を入力する場合は、各項目の入力ボックス４１ａ，４２ａ，４３ａ，４４ａ，４５ａ，４６ａをタップして選択し、テキストを入力する（Ｓ４）。そして、完了ボタン４７をタップすると、黒板情報が確定され、撮影画面に戻る。この際、新たに入力された情報は、黒板情報テーブル１３ｃに記録され、後に選択して使用することができるようになる。また、「完了後黒板を保存する」のチェックボックス４８にチェックを入れると、黒板の情報全体が、そのまま保存される。
【００３３】
また、黒板情報テーブル１３ｃには、使用頻度の高い語句や過去に入力された語句が記録されており、黒板編集画面で、入力ボックスの端にあるメモリー呼出しボタン４１ｂ，４２ｂ，４３ｂ，４５ｂ，４６ｂをタップすると、各語句のリストが表示され、その中から黒板に表示する情報を選択することができる（Ｓ５）。
【００３４】
黒板編集画面の完了ボタン４７がタップされると、撮影画面に戻り、黒板編集画面で選択した情報が表示された黒板画像３２が表示される（Ｓ６）。そして、撮影者が撮影する風景３１を決定し、黒板画像３２を所望の大きさ、位置に調整した後、シャッターボタン３４を押すと（Ｓ７）、図５のような黒板画像３２が風景３１の上に重ねられた状態の画像ファイル（ＪＰＥＧファイル）５１が作成される（Ｓ８）。
【００３５】
本プログラムでは、シャッターボタン３４がタップされると、画像ファイル５１が作成されるとともに、その画像ファイル５１についての写真テーブル１３ｄが作成される（Ｓ９）。写真テーブル１３ｄには、その画像ファイル５１に自動的に付与される写真ＩＤ、ファイル名のほか、主記憶装置１２上に保持されている情報を参照して、当該画像ファイル５１の作成に使用された（つまり、当該画像に表示されている黒板画像３２の）黒板情報や、撮影日時等が記録される。
【００３６】
また、シャッターボタン３４がタップされると、その画像ファイル５１の保存先となるフォルダが外部記憶装置１３上に存在するか否かが判定され（Ｓ１０）、存在する場合は、そのフォルダ内に画像ファイル５１が保存され（Ｓ１２）、存在しない場合は、保存先となるフォルダが自動的に作成され（Ｓ１１）、当該フォルダに画像ファイル５１が保存される（Ｓ１２）。
【００３７】
本プログラムでは、画像ファイル５１の保存先は、画像ファイル５１の作成に使用された黒板情報に対応するフォルダ名のフォルダとされる。本実施形態では、黒板情報である「工事名」、「工種」の順番で下層となるように階層的にフォルダが作成されており、これらの黒板情報が共通する画像ファイルは同一のフォルダの中に保存されるようになっている。たとえば、本実施形態では、黒板情報として、「工事名」は「川西市道路工事」が、「工種」は「路盤工」が、それぞれ選択されているので、図６に示すように、これらの黒板情報に対応するフォルダ名のフォルダが階層的に作成され、画像ファイル５１は、「川西道路工事」のフォルダ６１内の「路盤工」のフォルダ６２の中に保存される。
【００３８】
なお、本実施形態は、写真テーブルの作成（Ｓ９）や保存先フォルダの有無の判定（Ｓ１０）について、主記憶装置１２内に保持された黒板情報を参照して行っているが、本発明は、この構成に限定されない。また、図２では、画像ファイル作成（Ｓ８）、写真テーブル作成（Ｓ９）、保存先フォルダの作成（Ｓ１０）の処理順序となっているが、本発明はこれに限定されず、例えば、これらの処理を並行して行うようにしてもよい。
【００３９】
〔写真台帳作成〕
次に、写真台帳を作成する手順を説明する。まず、図７（ａ）に示す工事名画面を開くと、これまでに作成され、外部記憶装置１３内に保存されている工事名フォルダの名称のリストが、「全ての工事写真」の選択肢７１とともに表示される。そして、当該リストの中から、写真台帳を作成したい工事名を選択すると、（ｂ）に示す工種画面に移る。この工種画面では、選択された工事名フォルダ内にある全ての工種名フォルダが、「全ての工事写真」の選択肢７２とともにリストが表示される。各工種名のいずれかを選択した場合は、当該工種名フォルダ内に保存されている画像ファイルについて、当該画像にその黒板情報のテキストが付記された写真台帳が、図８のような写真台帳編集画面８０として表示される。なお、工事名画面で「全ての工事写真」７１を選択した場合は、主記憶装置内にある全ての画像ファイルについての、また、工種画面で「全ての工事写真」７２を選択した場合は、その工事名フォルダ内に保存されている全ての画像ファイルについての写真台帳編集画面８０に移ることになる。
【００４０】
本実施形態のプログラムは、Ｏｂｊｅｃｔｉｖｅ−Ｃによって作成されており、あらかじめ写真台帳の雛形となる画面が用意されている。そして、指定されたフォルダ内に保存されている画像ファイルと、写真テーブル１３ｄを参照して読みだされる当該画像ファイルの黒板情報を当該画面上に反映させることにより、図８に示すような写真台帳編集画面８０として表示する。この写真台帳編集画面８０では、画像８１の並べ替え、削除等の編集作業を行うことができるようになっている。写真台帳編集画面８０を開いた初期の状態では、画像８１は、写真テーブル１３ｄを参照して、測点の順番に整列されて表示されるが、写真テーブル１３ｄを参照して、撮影日時順にも並べ替えることができ、また、昇順、降順に整列させることもできるようになっている。
【００４１】
黒板情報表示欄８２には、その上に表示されている画像８１についての写真テーブル１３ｄを参照して、当該画像８１中の黒板８１ａの黒板情報が表示される。ここで、当該黒板情報を訂正する必要がある場合は、黒板情報編集ボタン８３をタップすることにより、黒板情報を訂正することができる。この操作で黒板情報が訂正された場合は、当該画像８１の写真テーブル１３ｄ内の黒板情報が書き換えられ、それに対応して、黒板情報表示欄８２の表示も訂正される。そして、写真テーブル１３ｄが書き換えられた場合は、その写真テーブル１３ｄの画像ファイルは、その訂正後の情報に対応する保存先フォルダに移動される。たとえば、図８の上の画像の工種を、「路盤工」から「舗装工」に訂正した場合、当該画像ファイルは、図６で示す路盤工フォルダ６２から舗装工フォルダ６３へと移動される。もっとも、この操作では、画像８１中の黒板画像８１ａの情報は変更されない。このような仕様としているのは、画像８１上の黒板情報を書き換えると、当該画像ファイルのＥｘｉｆ情報が失われてしまい、官公庁に提出する要件を満たさなくなるおそれがあるためである。
【００４２】
また、表示されている画像８１の中で、写真台帳で使用しない画像がある場合は、使用／不使用選択ボタン８４をタップすることにより、写真台帳で画像ファイルを使用するか否かを選択することができる。本実施形態では、不使用とされた画像は、写真台帳編集画面８０において半透明の状態で表示され（図示せず）、印刷ないし出力された写真台帳上には表示されなくなるが、画像ファイル自体が保存先フォルダから削除されるわけではない。
【００４３】
このようにして、写真台帳の編集が終了したら、印刷ボタン８５をタップすると、図９のような、１枚のＡ４用紙に３つの画像及び黒板情報が記載された状態の写真台帳がプリントアウトされる。なお、プリントアウトが必要ない場合は、ワープロソフトや文書閲覧ソフトのファイル形式で出力することもできるようになっている。
【００４４】
また、この編集内容は、写真台帳テーブル１３ｅとして保存されるため、後に、改めて編集後の内容の写真台帳を呼出し、印刷したり、編集したりすることができる。
【００４５】
このように、本プログラムによれば、工事現場の写真を撮影していけば、工事名や工種名を選択するだけで、自動的に測点や撮影日付順に整列され、黒板情報が付記された写真台帳を作成することができるので、作業者の負担を大幅に軽減することができる。
【００４６】
〔工程表作成〕
次に、工程表の作成について説明する。まず、図１０のような工程表作成画面１００を開く。工程表作成画面１００では、既に作成されている工程表の工事名のリスト１０１が表示される。このリスト１０１の中から工事名を選択すると、その工程表が表示された工程表画面に移動する。
【００４７】
また、新規に工程表を作成する場合は、新規工程表作成ボタン１０２をタップすると、図１１のような新規工程表作成画面１１０に移動する。新規工程表作成画面１１０では、工事名、工事箇所、工期（開始）、工期（終了）、施工会社、施工会社所在地、現場代理人、備考の各入力ボックス１１１ａ，１１２，１１３，１１４，１１５，１１６，１１７，１１８があり、各項目を入力できるようになっている。また、工事名の入力ボックス１１１ａの隣には、リスト表示ボタン１１１ｂがあり、これをタップすると、写真テーブル１３ｄを参照して、写真テーブル１３ｄに存在する工事名がリスト表示され、その中から工事名を選択することができる。なお、この画面で新たな工事名を入力した場合は、その工事名の保存先フォルダが作成され、その中に、後に撮影された当該工事名の黒板情報を有する画像ファイルが保存される。
【００４８】
各項目を入力した後、完了ボタン１１９をタップすると、図１２に示すような工程表画面１２０に移動する。工程表画面１２０は、工事内容（工種名）１２１ａを行とし、月、日、曜日を表示するカレンダーを列として、マトリクス状に構成された工程欄１２１と、工事名欄１２２、工事箇所欄１２３、工期欄１２４、施工欄１２５、所在地欄１２６、現場代理人欄１２７、及び備考欄１２８で構成されている。また、１つの工種名につき、それぞれ、計画工程１２１ｃと実施工程１２１ｄの行が設けられている。
【００４９】
工程表画面１２０は、工程表の雛形となる画面があらかじめ用意されており、これに工程表に記載される各情報が反映されることにより、工程表画面１２０として表示される。具体的には、工事名欄１２２、工事箇所欄１２３、工期欄１２４、施工欄１２５、所在地欄１２６、現場代理人欄１２７、及び備考欄１２８については、図１１の新規工程表作成画面で入力された各情報が表示される。また、工程欄１２１のカレンダーは、工期欄１１３，１１４に入力された期間に対応した期間が表示される。
【００５０】
本プログラムは、写真テーブル１３ｄを参照して、指定された工事名が記録された全ての画像ファイルの画像情報を抽出、参照し、その画像情報に含まれる全ての工種名を工程欄の「工事内容」の列１２１ａに表示する。そして、各工種における実施工程の行は、写真テーブル１３ｄを参照して、同一の工種名が記録された画像情報に含まれる撮影日付に該当するマスを塗りつぶすことにより表示される。たとえば、本実施形態の工程表では、工種名を「街渠工」とする画像情報の各画像ファイルの撮影日付が、平成２５年１０月３１日、１１月１日、同月２日、同月４日、同月５日、同月６日、同月８日、同月９日、同月１０日、同月１１日、同月１２日であるため、これらの日付に対応するマスが塗りつぶされて、当該工種１２１ｂの実施工程１２１ｄが自動的に表示される。なお、計画工程１２１ｃについては、作業者が、工事計画に基づいて、それぞれカレンダー内の各マスをタップして塗りつぶすことにより表示する。
【００５１】
また、写真の撮影に先行して、実施工程以外の部分を記載した工程表を作成する必要がある場合は、「工事内容」の列１２１ａの各欄をタップして、工種名を入力して作成することができる。この場合、工種名を入力すると、新規工程表作成画面で入力された工事名の保存先フォルダ内に、当該工種名の保存先フォルダが作成され、その中に、後に作成される当該工事名の黒板情報を有する画像ファイルが保存されるようになる。
【００５２】
このようにして作成された工程表は、作業者が所望の用紙にプリントアウトすることができる。また、プリントアウトが不要な場合は、ワープロソフト、表計算ソフト、文書閲覧ソフトのファイル形式で出力することもできる。
【００５３】
なお、作成された工程表の内容は、工程表テーブル１３ｆに記録、保存されるため、後に呼び出して再現、編集することができる。
【００５４】
このように、本プログラムによれば、写真を撮影していくだけで、その撮影日が工事実施日として自動的に入力され、実施工程欄が表示されるため、作業者が逐一工事実施日を確認して工程表を作成するという作業が不要となり、作業者の労力を大幅に軽減することができる。さらに、写真撮影後に工程表を作成する場合には、工種名も自動的に入力されるため、さらに作業者の労力を軽減することができる。
【００５５】
〔第２の実施形態〕
次に、本発明の第２の実施形態のプログラムについて説明する。本実施形態のプログラムは、本発明の第１の実施形態に係るプログラムがインストールされたコンピュータ（スマートフォン）とインターネットを介して接続されたコンピュータ（サーバーコンピュータ）にインストールして使用される。
【００５６】
本実施形態では、第１の実施形態として説明したスマートフォンで作成された画像ファイル及び各テーブルが、インターネットを介して接続されたサーバーコンピュータへ転送され、保存されるようになっている。この画像ファイルは、スマートフォンで保存先ファイルごとに整理された状態のままで転送されるようになっている。なお、サーバーコンピュータへの転送は、自動的に同期させるように設定することも、指定した画像ファイル、テーブルのみを転送するように設定することもできる。
【００５７】
そして、サーバーコンピュータは、インターネットを介して接続されたクライアントコンピュータ（たとえば、デスクトップＰＣ）からの要求に応じて、写真台帳をＨＴＭＬとして表示する。これにより、クライアントコンピュータの使用者は、インターネットブラウザを使用して、写真台帳を閲覧し、編集し、印刷することができる。写真台帳の編集方法は、第１の実施形態の場合と同様である。なお、写真台帳が作成ないし編集されたときは、写真台帳テーブルが作成され、サーバーコンピュータ上に保存される。
【００５８】
また、サーバーコンピュータにインストールされた本実施例のプログラムは、インターネットを介して接続されたクライアントコンピュータからの要求に応じて、工程表をＨＴＭＬとして表示する。これにより、クライアントコンピュータの使用者は、インターネットブラウザを使用して、工程表を閲覧し、編集し、印刷することができる。工程表の編集方法は、第１の実施形態の場合と同様である。なお、この場合、工程表が作成・編集されたときは、工程表テーブルが作成され、サーバーコンピュータ上に保存される。
【００５９】
このように、本実施形態によれば、工事現場とは別の場所にいるクライアントコンピュータの使用者が、写真台帳又は工程表の閲覧、編集、印刷を行うことができるので、作業状況の確認や効率的な作業分担を実現することができる。
【００６０】
〔第３の実施形態〕
最後に、本発明の第３の実施形態のプログラムについて説明する。本実施形態のプログラムは、本発明の第１の実施形態に係るプログラムがインストールされたコンピュータ（スマートフォン）と、インターネットを介さずに接続されたコンピュータ（デスクトップＰＣ）にインストールして使用される。
【００６１】
本実施形態では、第１の実施形態として説明したスマートフォンで作成された画像ファイル及び各テーブルが、スマートフォンと接続されたデスクトップＰＣへ転送され、保存されるようになっている。この画像ファイルは、スマートフォンで保存先ファイルごとに整理された状態のままで転送されるようになっている。なお、デスクトップＰＣへの転送は、接続されたら自動的に同期させるように設定することも、指定した画像ファイル、テーブルのみを転送するように設定することもできる。
【００６２】
そして、本実施形態のプログラムがインストールされたデスクトップＰＣは、その使用者の指示に基づき、あらかじめ用意されている写真台帳の雛形となる画面に、指定されたフォルダ内に保存されている画像ファイルと、写真テーブルを参照して読みだされる当該画像ファイルの黒板情報を反映させることにより写真台帳を作成し、その編集画面を表示する。これにより、当該使用者は、写真台帳を閲覧し、編集し、印刷することができる。写真台帳の編集方法は、第１の実施形態の場合と同様である。なお、この場合、写真台帳が作成・編集されたときは、写真台帳テーブルが作成され、当該デスクトップＰＣに保存される。
【００６３】
また、当該デスクトップＰＣは、その使用者の指示に基づき、あらかじめ用意された工程表の雛形となる画面に、指定された各情報が反映されることにより、工程表を作成する。これにより、当該使用者は、工程表を閲覧し、編集し、印刷することができる。工程表の編集方法は、第１の実施形態の場合と同様である。なお、この場合、工程表が作成・編集されたときは、工程表テーブルが作成され、デスクトップＰＣに保存される。
【００６４】
以上、本発明の実施形態について説明したが、本発明はこれらの実施形態に限定されるものではなく、適宜変更可能である。たとえば、第１の実施例においては、本発明のプログラムをインターネット上で提供されるスマートフォン用アプリとしているが、当該形態に限定されるものではなく、たとえば、ＣＤ−ＲＯＭ等の記憶媒体からインストールさせるようにしてもよい。また、第３の実施形態においては、インストールするコンピュータをデスクトップＰＣとしているが、これに限定されない。
【符号の説明】
【００６５】
１３ｄ  写真テーブル
１６    ディスプレイ
１７    デジタルカメラ
３１    風景
３２    黒板画像
【図１】
2014157596.tif 000003
【図２】
2014157596.tif 000004
【図３】
2014157596.tif 000005
【図４】
2014157596.tif 000006
【図５】
2014157596.tif 000007
【図６】
2014157596.tif 000008
【図７】
2014157596.tif 000009
【図８】
2014157596.tif 000010
【図９】
2014157596.tif 000011
【図１０】
2014157596.tif 000012
【図１１】
2014157596.tif 000013
【図１２】
2014157596.tif 000014